(57)【要約】【課題】離散的なパワー放散法により生じるホットスポットの数を最小限する。【解決手段】制御ユニット（８４）に結合された電圧源（８６）は複数の磁気共鳴（ＭＲ）コイル素子（７４、７６、７８、８０、８２）を選択的に起動する複数の電圧駆動式スイッチ（８８、９０、９２、９４、９６）に電圧を供給する。複数の伝送線（９８、１００、１０２、１０４、１０６）とは電圧源からの駆動信号を複数の電圧駆動式スイッチ（８８、９０、９２、９４、９６）に提供する。複数の伝送線（９８、１００、１０２、１０４、１０６）は、離散的な抵抗性素子を存在させず、該複数の伝送線（９８、１００、１０２、１０４、１０６）と複数のＭＲコイル素子（７４、７６、７８、８０、８２）の間の相互作用が最小化されかつ熱放散が該複数の伝送線（９８、１００、１０２、１０４、１０６）の各々の長さ全体にわたって分布し、実質的に均一の抵抗率を有する。【選択図】図２
2011067629.tif 000002
【特許請求の範囲】
【請求項１】
複数の磁気共鳴（ＭＲ）コイル素子（７４、７６、７８、８０、８２）と、
複数のＭＲコイル素子（７４、７６、７８、８０、８２）に結合されたその各々がそれぞれのＭＲコイル素子（７４、７６、７８、８０、８２）を選択的に起動するように構成された複数の電圧駆動式スイッチ（８８、９０、９２、９４、９６）と、
複数の電圧駆動式スイッチ（８８、９０、９２、９４、９６）に電圧を供給するように構成された電圧源（８６）と、
電圧源（８６）に結合された制御ユニット（８４）と、
複数の電圧駆動式スイッチ（８８、９０、９２、９４、９６）に対してかつ制御ユニット（８４）に対して結合されると共に、電圧源（８６）からの駆動信号を複数の電圧駆動式スイッチ（８８、９０、９２、９４、９６）に提供するように構成された複数の伝送線（９８、１００、１０２、１０４、１０６）であって、離散的な抵抗性素子を存在させていないと共に該複数の伝送線（９８、１００、１０２、１０４、１０６）と複数のＭＲコイル素子（７４、７６、７８、８０、８２）の間の相互作用が最小化されかつ熱放散が該複数の伝送線（９８、１００、１０２、１０４、１０６）の各々の長さ全体にわたって分布するように実質的に均一の抵抗率を有する複数の伝送線（９８、１００、１０２、１０４、１０６）と、
を備える装置（７２）。
【請求項２】
前記複数の伝送線（９８、１００、１０２、１０４、１０６）は複数のＭＲコイル素子（７４、７６、７８、８０、８２）を重複させるように構成されている、請求項１に記載の装置（７２）。
【請求項３】
前記複数の伝送線（９８、１００、１０２、１０４、１０６）は離散的な抵抗器及びインダクタのうちの少なくとも一方を存在させていない、請求項１に記載の装置（７２）。
【請求項４】
前記複数の伝送線（９８、１００、１０２、１０４、１０６）はさらに抵抗性インクを備える、請求項１に記載の装置（７２）。
【請求項５】
前記複数の伝送線（９８、１００、１０２、１０４、１０６）はさらに導電性粒子をその内部に懸濁させたポリマー材料を備える、請求項１に記載の装置（７２）。
【請求項６】
前記複数の伝送線（９８、１００、１０２、１０４、１０６）はさらに概ね１ｋＯｈｍ／ｉｎと概ね１０ｋＯｈｍ／ｉｎの間の抵抗率を有する材料を備える、請求項１に記載の装置（７２）。
【請求項７】
前記電圧駆動式スイッチ（８８、９０、９２、９４、９６）は微小電気機械システム（ＭＥＭＳ）デバイスと電界効果トランジスタ（ＦＥＴ）スイッチのうちの少なくとも一方を備える、請求項１に記載の装置（７２）。
【請求項８】
前記電圧源（８６）と複数の電圧駆動式スイッチ（８８、９０、９２、９４、９６）の間の配置されると共に、ＭＥＭＳデバイスを選択的にドライブするように構成されたトーテムポール型ＦＥＴアレイをさらに備える請求項７に記載の装置（７２）。
【請求項９】
前記複数の伝送線（９８、１００、１０２、１０４、１０６）はさらに抵抗性ワイヤ、炭素繊維及び抵抗性細線のうちの１つを備える、請求項１に記載の装置（７２）。
【請求項１０】
前記複数の伝送線（９８、１００、１０２、１０４、１０６）の各々は概ね１００ｍｉｌの幅を有する、請求項１に記載の装置（７２）。
【発明の詳細な説明】
【技術分野】
【０００１】
本発明の実施形態は全般的には、磁気共鳴（ＭＲ）コイル素子を駆動するためのシステム及び方法に関し、またさらに詳細には、ＭＲコイル素子を選択的に起動及び非起動にするためのシステム及び方法に関する。
【背景技術】
【０００２】
人体組織などの物質を均一な磁場（偏向磁場Ｂ０）にかけると、組織中のスピンの個々の磁気モーメントはこの偏向磁場と整列しようとして、この周りをラーモアの特性周波数によってランダムな秩序で歳差運動することになる。この物質や組織に、ｘ−ｙ平面内にありラーモア周波数に近い周波数の磁場（励起磁場Ｂ１）がかけられると、正味の整列モーメント（すなわち、「縦磁化」）ＭＺは、ｘ−ｙ平面内に来るように回転させられ（すなわち、「傾けられ（ｔｉｐｐｅｄ）」）、正味の横方向磁気モーメントＭｔが生成される。励起信号Ｂ１を停止させた後、励起したスピンにより信号が放出され、さらにこの信号を受信し処理して画像を形成することができる。
【０００３】
ＭＲ撮像装置は典型的には、送出信号の発生及び受け取りのために多数の送信コイル及び多数の受け取りすなわち受信コイルを含む。一般に、無線周波数送信コイルはラーモア周波数で送信しており、これにより受信コイルにより受け取られると共によく知られた多くの再構成技法のうちの１つを用いて画像が再構成されるようにディジタル化されかつ処理されるエコー信号が得られる。受信コイルはエコー信号の受信コイルによる受信を可能とさせるようなラーモア周波数に同調される。受信コイルをラーモア周波数に合わせて同調させているため、受信コイル内に送信磁場から無用な電流が誘導されるのを防止するように送信フェーズの間は受信コイルを離調させなければならない。
【０００４】
送信コイルの動作時に、ＰＩＮダイオードを含むのが典型的である離調回路によって受信コイルを非起動に（すなわち、離調）させている。ＰＩＮダイオードは、高導電率トレース（典型的には、銀または銅）を介してドライブ装置からＰＩＮダイオードに送られる電流信号を介してトリガされる。トレースの長さ方向には、ＭＲ環境内に存在する大きな磁場に起因してトレース内部に発生する熱を放散させるために抵抗性素子（例えば、離散的なインダクタ及び／または抵抗器及びコンデンサ網）が位置決めされるのが典型的である。しかし、抵抗性素子は離調回路のコスト及び設計の複雑性を増大させる。さらに、離散的な抵抗性素子がトレース上に位置決めされる箇所に装置故障の早期化や患者不快感につながるようなホットスポットが生じることがある。
【先行技術文献】
【特許文献】
【０００５】
【特許文献１】米国特許第７２６２０７５号
【発明の概要】
【発明が解決しようとする課題】
【０００６】
したがって、離散的なパワー放散法によって生じる「ホットスポット（ｈｏｔ  ｓｐｏｔ）」の数を最小限にしかつＭＲ受信器コイル装置のコスト及び設計の複雑性を低減するような、ＭＲ受信器コイル素子を起動及び非起動にさせるためのシステム及び方法を提供することが望ましい。
【課題を解決するための手段】
【０００７】
本発明の一態様による装置は、複数の磁気共鳴（ＭＲ）コイル素子と、該複数のＭＲコイル素子に結合されたその各々がそれぞれのＭＲコイル素子を選択的に起動するように構成された複数の電圧駆動式スイッチと、を含む。本装置はさらに、複数の電圧駆動式スイッチに電圧を供給するように構成された電圧源と、該電圧源に結合された制御ユニットと、複数の電圧駆動式スイッチに対してかつ制御ユニットに対して結合されると共に電圧源からの駆動信号を複数の電圧駆動式スイッチに提供するように構成された複数の伝送線と、を含む。この複数の伝送線は、離散的な抵抗性素子が存在せず、かつ複数の伝送線と複数のＭＲコイル素子の間の相互作用を最小とさせると共に複数の伝送線の各々の長さ全体にわたって熱放散が分布されるように実質的に均一の抵抗率を有する。
【０００８】
本発明の別の態様による磁気共鳴（ＭＲ）システムは、偏向磁場を印加するようにマグネットのコアの周りに位置決めされた複数の傾斜コイルと、ＭＲコイルアセンブリにＲＦ信号を送信しＭＲ画像を収集させるようにパルスモジュールにより制御を受けるＲＦ送受信器システム及びＲＦスイッチと、を有する磁気共鳴撮像（ＭＲＩ）装置を含む。このＭＲコイルアセンブリは、複数のＭＲ受信器コイルと、該複数のＭＲ受信器コイルに結合された複数の電圧駆動式スイッチと、該複数の電圧駆動式スイッチに電圧を供給するように構成された電圧源と、を含む。このＭＲコイルアセンブリはさらに、電圧信号を介して複数の電圧駆動式スイッチを選択的に起動するように構成されたドライバと、離散的な抵抗器を存在させない複数の低導電率抵抗性トレースと、を含む。これら複数の低導電率抵抗性トレースは複数の電圧駆動式スイッチに対してかつドライバに対して結合させている。これらの複数の低導電率抵抗性トレースはドライバからの電圧信号を複数の電圧駆動式スイッチに送信するように構成されている。
【０００９】
本発明の別の態様による装置を製造するための方法は、複数の磁気共鳴（ＭＲ）コイル素子を提供する工程と、該複数のＭＲコイル素子に複数の静電式スイッチを結合させる工程と、複数のＭＲコイル素子を電圧ポテンシャルがこれに加えられたときに選択的に駆動させるように該複数の静電式スイッチを構成する工程と、該複数の静電式スイッチをドライブさせるための制御ユニットを提供する工程と、を含む。本製造方法はさらに、制御ユニットに電圧供給源を結合させる工程と、制御ユニットと複数の静電式スイッチの間に複数の伝送線を結合させる工程と、電圧源と複数の静電式スイッチの間で離散的な抵抗器を伴わずにエネルギーを実質的に均一に放散させると共に熱放散が複数の伝送線の各々の長さ全体にわたって分布するように複数の伝送線を構成させる工程と、を含む。
【００１０】
別の様々な特徴及び利点は、以下の詳細な説明及び図面から明らかとなろう。
【００１１】
図面では、本発明を実施するために目下のところ企図される好ましい実施形態を図示している。
【図面の簡単な説明】
【００１２】
【図１】本発明を組み込んだＭＲ撮像システムのブロック概要図である。
【図２】本発明の一実施形態によるＭＲコイル素子装置の概要図である。
【発明を実施するための形態】
【００１３】
図１を参照すると、本発明の一実施形態を組み込んだ好ましい磁気共鳴撮像（ＭＲＩ）システム１０の主たる構成要素を表している。このシステムの動作は、キーボードその他の入力デバイス１３、制御パネル１４及び表示画面１６を含むオペレータコンソール１２から制御を受けている。コンソール１２は、オペレータが画像の作成及び表示画面１６上への画像表示を制御できるようにする単独のコンピュータシステム２０と、リンク１８を介して連絡している。コンピュータシステム２０は、バックプレーン２０ａを介して互いに連絡した多くのモジュールを含む。これらのモジュールには、画像プロセッサモジュール２２、ＣＰＵモジュール２４、並びに当業者において画像データアレイを記憶するためのフレームバッファとして知られるメモリモジュール２６が含まれる。コンピュータシステム２０は、高速シリアルリンク３４を介して単独のシステム制御部３２と連絡している。入力デバイス１３は、マウス、ジョイスティック、キーボード、トラックボール、タッチ作動スクリーン、光学読取り棒、音声制御器、あるいは同様な任意の入力デバイスや同等の入力デバイスを含むことができ、また入力デバイス１３は対話式幾何学指定のために使用することができる。
【００１４】
システム制御部３２は、バックプレーン３２ａにより互いに接続させたモジュールの組を含んでいる。これらのモジュールには、ＣＰＵモジュール３６や、シリアルリンク４０を介してオペレータコンソール１２に接続したパルス発生器モジュール３８が含まれる。システム制御部３２は、実行すべきスキャンシーケンスを指示するオペレータからのコマンドをこのリンク４０を介して受け取っている。パルス発生器モジュール３８は、システムの構成要素を動作させて所望のスキャンシーケンスを実行させ、発生させるＲＦパルスのタイミング、強度及び形状、並びにデータ収集ウィンドウのタイミング及び長さを指示するデータを発生させている。パルス発生器モジュール３８は、スキャン中に発生させる傾斜パルスのタイミング及び形状を指示するために１組の傾斜増幅器４２と接続させている。パルス発生器モジュール３８はさらに、生理学的収集制御器４４から患者データを受け取ることができ、この生理学的収集制御器４４は、患者に装着した電極からのＥＣＧ信号など患者に接続した異なる多数のセンサからの信号を受け取っている。また最終的には、パルス発生器モジュール３８はスキャン室インタフェース回路４６と接続されており、スキャン室インタフェース回路４６はさらに、患者及びマグネット系の状態に関連付けした様々なセンサからの信号を受け取っている。さらにこのスキャン室インタフェース回路４６を介して、患者位置決めシステム４８は患者を所望のスキャン位置まで移動させるコマンドを受け取っている。
【００１５】
パルス発生器モジュール３８が発生させる傾斜波形は、Ｇｘ増幅器、Ｇｙ増幅器及びＧｚ増幅器を有する傾斜増幅器システム４２に加えられる。各傾斜増幅器は、収集した信号の空間エンコードに使用する磁場傾斜を生成させるように全体を番号５０で示す傾斜コイルアセンブリ内の物理的に対応する傾斜コイルを励起させている。傾斜磁場コイルアセンブリ５０は、偏向マグネット５４及び全身用ＲＦコイル５６を含むマグネットアセンブリ５２の一部を形成している。システム制御部３２内の送受信器モジュール５８は、ＲＦ増幅器６０により増幅を受けて送信／受信スイッチ６２によりＲＦコイル５６に結合されるようなパルスを発生させている。患者内の励起された原子核が放出して得られた信号は、同じＲＦコイル５６により検知し、送信／受信スイッチ６２を介して前置増幅器６４に結合させることができる。増幅したＭＲ信号は、送受信器５８の受信器部分で復調され、フィルタ処理され、さらにディジタル化される。送信／受信スイッチ６２は、パルス発生器モジュール３８からの信号により制御し、送信モードではＲＦ増幅器６０をコイル５６と電気的に接続させ、受信モードでは前置増幅器６４をコイル５６に接続させている。送信／受信スイッチ６２によってさらに、単独のＲＦコイル（例えば、表面コイル７０）を送信モードと受信モードのいずれにおいて使用することも可能となる。
【００１６】
ＲＦコイル５６または表面コイル７０により取り込まれたＭＲ信号は送受信器モジュール５８によりディジタル化され、システム制御部３２内のメモリモジュール６６に転送される。未処理のｋ空間データのアレイをメモリモジュール６６内に収集し終わると１回のスキャンが完了となる。この未処理のｋ空間データは、各画像を再構成させるように別々のｋ空間データアレイの形に配置し直しており、これらの各々は、データをフーリエ変換して画像データのアレイにするように動作するアレイプロセッサ６８に入力される。この画像データはシリアルリンク３４を介してコンピュータシステム２０に送られ、コンピュータシステム２０において画像データはメモリ内に格納される。この画像データは、オペレータコンソール１２から受け取ったコマンドに応じて長期記憶内にアーカイブしたり、画像プロセッサ２２によりさらに処理してオペレータコンソール１２に伝達しディスプレイ１６上に表示させたりすることができる。
【００１７】
ここで図２を参照すると、本発明の実施形態によるＭＲコイルアセンブリ７２の概要図を表している。ＭＲコイルアセンブリ７２は、多数のＭＲ受信器コイル素子７４、７６、７８、８０、８２を含む。各受信器素子は典型的には、低ノイズ増幅器に取り付けられた多重型能動ブロッキング網、受動ブロッキング網、ＲＦ出力を備える。本発明の一態様によるＭＲコイルアセンブリ７２は、トーテムポール型電界効果トランジスタ（ＦＥＴ）アレイを備えた制御ユニット８４を含む。例えば１０Ｖ〜１００Ｖの圧電パワー変圧器などの高電圧のパワー供給源または電源８６が制御ユニット８４に結合されると共に、これに制御パワーを伝達するように構成されている。
【００１８】
ＭＲコイルアセンブリ７２はさらに、各ＭＲ受信器コイル７４〜８２に結合された静電式または電圧駆動式スイッチ８８、９０、９２、９４、９６を含む。一実施形態ではスイッチ８８〜９４は例えば、窒化ガリウムスイッチ、ＦＥＴデバイス、あるいは電圧ポテンシャルに基づいて（これに対して電流をほとんどまたは全く加えずに）オンやオフに切り替わる微小電気機械システム（ＭＥＭＳ）デバイスとすることができる。制御ユニット８４はスイッチ８８〜９４を選択的にドライブするように構成されている。
【００１９】
動作時において制御ユニット８４は、トランジスタトランジスタロジック（ＴＴＬ）制御子を使用し、スイッチ８８〜９６の静電式駆動によって個々のＭＲコイル素子７４〜８２をオンやオフに切り替える。伝送線または抵抗性トレース９８、１００、１０２、１０４、１０６は制御ユニット８４をそれぞれのＭＲ受信器コイル素子７４〜８２に接続し、これらの間で高電圧信号を送っている。トレース９８〜１０６は、抵抗性材料（例えば、概ね１〜１０ｋＯｈｍ−ｉｎの抵抗率を有する低導電率のインクまたは抵抗性インク）から形成される。別法として抵抗性トレース９８〜１０６は、導電性の粒子をその内部に懸濁させたエラストマまたはポリマー材料によって製作されることがある。トレース９８〜１０６は、例えば孔版印刷、シルクスクリーン法またはインクジェット印刷によってパターン形成されることがある。さらに、トレース９８〜１０６を回路基板（図示せず）上にパターン形成し、制御ユニットとスイッチの間の実配線を不要にすることがある。別法としてトレース９８〜１０６は、例えば着用可能（ｗｅａｒａｂｌｅ）コイルで使用するために柔軟なサブストレート上にパターン形成されることがある。トレース９８〜１０６はさらに、概ね５０〜１００Ｏｈｍ／ｓｑ／ｍｉｌの表面抵抗率を有するテキスタイル材料（例えば、導電性ポリマーでコーティングした繊維、炭素繊維または抵抗性細線（ｔｈｒｅａｄ））で製作されることもある。別の実施形態ではトレース９８〜１０６は、例えば柔軟な共形性の回路や柔軟な受信器コイルを形成するためにテキスタイル、ファブリック、ポリマー、プラスチックその他と織り合わせた単位長さあたり有する抵抗が同じ導体をなすことがある。
【００２０】
トレース上の離散的な抵抗器が配置された場所であるホットスポットを生じさせることが典型的であるような従来の高導電率トレース（例えば、銅や銀で形成されたトレース）と異なり、トレース９８〜１０６はその全体にわたって実質的に均一の抵抗特性を有する。したがって、制御ユニット８４とＭＲ受信器コイル素子７４〜８２の間のトレース９８〜１０６の全体長方向で熱が実質的に均等に放散される。さらにトレース９８〜１０６は所望の任意の経路、長さ及び／または幅を有するようにパターン形成することができる。例えばトレース９８〜１０６の幅は、希望する冷却特性やパワーハンドリング特性に応じてトレースの表面積を増大または縮小するように処理することができる。一実施形態ではトレース９８〜１０６は概ね１００ｍｉｌの幅及び／または概ね５ｍｉｌの厚さを有することがある。
【００２１】
トレース９８〜１０６が低導電率特性であることによって交点（例えば、交点１０８）の位置におけるトレース９８〜１０６とコイル素子７４〜８２の間の相互作用が最小化される。したがってトレース９８〜１０６は、トレース９８〜１０６とＭＲコイル素子７４〜８２の間で起こり得る無用な相互作用（すなわち、電流誘導）を生じさせずにコイル素子７４〜８２まで任意の方式でルート設定することができる。したがってトレース９８〜１０６は、図２に示すようにコイル素子７４〜８２を重複させるように構成されることがある。さらに、トレース９８〜１０６が低導電性特性であることによって、外部磁場がトレース９８〜１０６内部に電流を誘導させる可能性が最小化される。
【００２２】
したがって本発明の実施形態によれば、熱エネルギーが各トレース９８〜１０６の全体長の方向で均等に分布されるため熱散失に関わる面積が増大する。したがってトレース９８〜１０６によればＭＲコイル素子７４〜８２上において、トレースの長さ方向に位置決めされた離散的な抵抗器に由来するのが典型的であるような熱散失が著しく集中した箇所すなわち「ホットスポット」が実質的に最小化または排除される。さらに、トレース９８〜１０６は単一層のプリント回路基板（ＰＣＢ）上に製作されることがあるため、本発明の実施形態はより薄くより柔軟な表面コイル（このことは極めて望ましいことである）を可能とするようなトレース９８〜１０６の製作を可能としている。
【００２３】
したがって、一実施形態による装置は、複数の磁気共鳴（ＭＲ）コイル素子と、該複数のＭＲコイル素子に結合されたその各々がそれぞれのＭＲコイル素子を選択的に起動するように構成された複数の電圧駆動式スイッチと、を含む。本装置はさらに、複数の電圧駆動式スイッチに電圧を供給するように構成された電圧源と、該電圧源に結合された制御ユニットと、複数の電圧駆動式スイッチに対してかつ制御ユニットに対して結合されると共に電圧源からの駆動信号を複数の電圧駆動式スイッチに提供するように構成された複数の伝送線と、を含む。この複数の伝送線は、離散的な抵抗性素子が存在せず、かつ複数の伝送線と複数のＭＲコイル素子の間の相互作用を最小とさせると共に複数の伝送線の各々の長さ全体にわたって熱放散が分布されるように実質的に均一の抵抗率を有する。
【００２４】
別の実施形態による磁気共鳴（ＭＲ）システムは、偏向磁場を印加するようにマグネットのコアの周りに位置決めされた複数の傾斜コイルと、ＭＲコイルアセンブリにＲＦ信号を送信しＭＲ画像を収集させるようにパルスモジュールにより制御を受けるＲＦ送受信器システム及びＲＦスイッチと、を有する磁気共鳴撮像（ＭＲＩ）装置を含む。このＭＲコイルアセンブリは、複数のＭＲ受信器コイルと、該複数のＭＲ受信器コイルに結合された複数の電圧駆動式スイッチと、該複数の電圧駆動式スイッチに電圧を供給するように構成された電圧源と、を含む。このＭＲコイルアセンブリはさらに、電圧信号を介して複数の電圧駆動式スイッチを選択的に起動するように構成されたドライバと、離散的な抵抗器を存在させない複数の低導電率抵抗性トレースと、を含む。これら複数の低導電率抵抗性トレースは複数の電圧駆動式スイッチに対してかつドライバに対して結合させている。これらの複数の低導電率抵抗性トレースはドライバからの電圧信号を複数の電圧駆動式スイッチに送信するように構成されている。
【００２５】
また別の実施形態による装置を製造するための方法は、複数の磁気共鳴（ＭＲ）コイル素子を提供する工程と、該複数のＭＲコイル素子に複数の静電式スイッチを結合させる工程と、複数のＭＲコイル素子を電圧ポテンシャルがこれに加えられたときに選択的に駆動させるように該複数の静電式スイッチを構成する工程と、該複数の静電式スイッチをドライブさせるための制御ユニットを提供する工程と、を含む。本製造方法はさらに、制御ユニットに電圧供給源を結合させる工程と、制御ユニットと複数の静電式スイッチの間に複数の伝送線を結合させる工程と、電圧源と複数の静電式スイッチの間で離散的な抵抗器を伴わずにエネルギーを実質的に均一に放散させると共に熱放散が複数の伝送線の各々の長さ全体にわたって分布するように複数の伝送線を構成させる工程と、を含む。
【００２６】
この記載では、本発明（最適の形態を含む）を開示するため、並びに当業者による任意のデバイスやシステムの製作と使用及び組み込んだ任意の方法の実行を含む本発明の実施を可能にするために例を使用している。本発明の特許性のある範囲は本特許請求の範囲によって規定していると共に、当業者により行われる別の例を含むことができる。こうした別の例は、本特許請求の範囲の文字表記と異ならない構造要素を有する場合や、本特許請求の範囲の文字表記と実質的に差がない等価的な構造要素を有する場合があるが、本特許請求の範囲の域内にあるように意図したものである。
【符号の説明】
【００２７】
１０  好ましい磁気共鳴撮像（ＭＲＩ）システム
１２  オペレータコンソール
１４  制御パネル
１６  表示画面
１８  リンク
２０  単独のコンピュータシステム
２２  画像プロセッサモジュール
２４  ＣＰＵモジュール
２６  メモリモジュール
３２  単独のシステム制御部
３４  高速シリアルリンク
３６  ＣＰＵモジュール
３８  パルス発生器モジュール
４０  シリアルリンク
４２  傾斜増幅器組
４４  生理学的収集制御器
４６  スキャン室インタフェース回路
４８  患者位置決めシステム
５０  傾斜コイルアセンブリ
５２  マグネットアセンブリ
５４  偏向マグネット
５６  全身用ＲＦコイル
５８  送受信器モジュール
６０  ＲＦ増幅器
６２  送信／受信スイッチ
６４  前置増幅器
６６  メモリモジュール
６８  アレイプロセッサ
７０  表面コイル
７２  ＭＲコイルアセンブリ
７４  多数のＭＲ受信器コイル素子
７６  多数のＭＲ受信器コイル素子
７８  多数のＭＲ受信器コイル素子
８０  多数のＭＲ受信器コイル素子
８２  多数のＭＲ受信器コイル素子
８４  制御ユニット
８６  高電圧パワー供給源または電源
８８  静電式または電圧駆動式スイッチ
９０  静電式または電圧駆動式スイッチ
９２  静電式または電圧駆動式スイッチ
９４  静電式または電圧駆動式スイッチ
９６  静電式または電圧駆動式スイッチ
９８  伝送線または抵抗性トレース
１００  伝送線または抵抗性トレース
１０２  伝送線または抵抗性トレース
１０４  伝送線または抵抗性トレース
１０６  伝送線または抵抗性トレース
１０８  交点
【図１】
2011067629.tif 000003
【図２】
2011067629.tif 000004